(57)【要約】【課題】プロジェクターの薄型化を可能とし、かつ液晶表示パネル等の冷却対象を順次冷却する冷却用ダクトの圧力損失の増大を抑えることのできるプロジェクターを提供すること。【解決手段】本発明の本発明に係るプロジェクターは、入射面から入射した光を画像信号に応じて変調し、射出面から射出させる複数の空間光変調装置２１Ｒ，２１Ｇ，２１Ｂと、空間光変調装置に変調された光を被照射面に投写する投写レンズ３１と、複数の空間光変調装置を順次冷却するための冷却風が流動する冷却用ダクト５０と、冷却用ダクトに冷却風を送り込む第１の送風機４０と、を有し、冷却用ダクトは、第１の送風機が送り込む冷却風の最も上流側の空間光変調装置と最も下流側の空間光変調装置との間で分岐されている。【選択図】図２
2011039140.tif 000002
【特許請求の範囲】
【請求項１】
入射面から入射した光を画像信号に応じて変調し、射出面から射出させる複数の空間光変調装置と、
前記空間光変調装置に変調された光を被照射面に投写する投写レンズと、
前記複数の前記空間光変調装置を順次冷却するための冷却風が流動する冷却用ダクトと、
前記冷却用ダクトに冷却風を送り込む第１の送風機と、を有し、
前記冷却用ダクトは、前記第１の送風機が送り込む冷却風の最も上流側の前記空間光変調装置と最も下流側の前記空間光変調装置との間で分岐されていることを特徴とするプロジェクター。
【請求項２】
前記プロジェクターは、３個の前記空間光変調装置を有し、
前記冷却用ダクトは、前記第１の送風機が送り込む冷却風の上流側から２番目の前記空間光変調装置と３番目の前記空間光変調装置との間で分岐されていることを特徴とする請求項１に記載のプロジェクター。
【請求項３】
前記第１の送風機が送り込む冷却風の上流側から１番目の空間光変調装置は、前記投写レンズの光軸側に前記射出面を向け、前記射出面が前記投写レンズの光軸と略平行となるように配置され、
前記第１の送風機は、冷却風の吹出し方向を前記投写レンズの光軸側に傾けて配置されていることを特徴とする請求項２に記載のプロジェクター。
【請求項４】
前記冷却用ダクトの分岐部分よりも下流側の領域に対し前記第１の送風機からの冷却風と逆の方向に冷却風を送り込んで、前記３番目の空間光変調装置を冷却する第２の送風機をさらに有することを特徴とする請求項２または３に記載のプロジェクター。
【請求項５】
前記３番目の空間光変調装置は、前記投写レンズの光軸側に前記射出面を向け、前記射出面が前記投写レンズの光軸と略平行となるように配置され、
前記第２の送風機は、冷却風の吹出し方向を前記投写レンズの光軸側に傾けて配置されていることを特徴とする請求項４に記載のプロジェクター。
【請求項６】
前記２番目の空間光変調装置が緑色光を変調することを特徴とする請求項２から５のいずれか１項に記載のプロジェクター。
【請求項７】
前記３番目の空間光変調装置が緑色光を変調することを特徴とする請求項４または５に記載のプロジェクター。
【発明の詳細な説明】
【技術分野】
【０００１】
本発明は、プロジェクター、特に、透過型液晶表示パネルを備えるプロジェクターの技術に関する。
【背景技術】
【０００２】
従来、プロジェクターは、投写性能の向上や小型化を目的とする開発が進められている。プロジェクターとしては、例えば、赤色（Ｒ）光用、緑色（Ｇ）光用、青色（Ｂ）光用の各透過型液晶表示パネルを備えるプロジェクターが広く普及している。液晶表示パネル、及び液晶表示パネルの周囲に設けられる偏光板は、照明光の吸収によって発熱する。液晶表示パネルや偏光板の放熱には、例えば、空気を流動させるファンが用いられている。
【０００３】
プロジェクターの冷却構造としては、液晶表示パネルや偏光板が配置される光軸を含む面に対して、略垂直な方向へ空気を流動させる構成が知られている。この場合、各液晶表示パネルへ均等に空気を供給できる一方、各液晶表示パネルを配置する部分の上下にファン、及び空気を流動させるためのダクトを配置することでプロジェクターの薄型化が難しくなる点が課題となる。かかる課題に対しては、光軸を含む面に略平行な方向へ空気を流動させる流路を設け、各液晶表示パネル及び各偏光板へ順次空気を流動させる技術が提案されている。例えば、特許文献１には、各色光を合成するクロスダイクロイックプリズムの周囲に各液晶表示パネルを配置する構成において、各液晶表示パネルを冷却用ダクト内の流路に順番に配置し、冷却用ダクト内を流動する冷却風で各液晶表示パネルを順次冷却する構成が提案されている。
【先行技術文献】
【特許文献】
【０００４】
【特許文献１】特開２００１−２８１６１３号公報
【発明の概要】
【発明が解決しようとする課題】
【０００５】
１つの液晶パネルに対して冷却風を送り込む場合に比べて、すべての液晶表示パネルに対して冷却風を順次送り込む場合、冷却用ダクトが長くなり、圧力損失が大きくなる。また、各液晶表示パネルはクロスダイクロイックプリズムの周囲に配置されているので、冷却用ダクトも折り曲げて構成する必要があり、さらなる圧力損失の増大を招く。したがって、冷却風の風量が不足し、液晶表示パネル等の冷却対象を十分に冷却できない場合がある。また、すべての液晶表示パネルを冷却するのに十分な量の冷却風を流動させるためには、送風ファンに大きな能力が要求され、装置の大型化や運転騒音の増大といった問題が生じる場合がある。本発明は、上述の課題に鑑みてなされたものであり、プロジェクターの薄型化を可能とし、かつ液晶表示パネル等の冷却対象を順次冷却する冷却用ダクトの圧力損失の増大を抑えることのできるプロジェクターを提供することを目的とする。
【課題を解決するための手段】
【０００６】
上述した課題を解決し、目的を達成するために、本発明に係るプロジェクターは、入射面から入射した光を画像信号に応じて変調し、射出面から射出させる複数の空間光変調装置と、空間光変調装置に変調された光を被照射面に投写する投写レンズと、複数の空間光変調装置を順次冷却するための冷却風が流動する冷却用ダクトと、冷却用ダクトに冷却風を送り込む第１の送風機と、を有し、冷却用ダクトは、第１の送風機が送り込む冷却風の最も上流側の空間光変調装置と最も下流側の空間光変調装置との間で分岐されていることを特徴とする。
【０００７】
冷却用ダクトが、最も上流側の空間光変調装置と最も下流側の空間光変調装置との間で分岐されているので、分岐部分よりも下流側の流路断面積を実質的に拡大することができる。これにより、冷却用ダクト全体の圧力損失の増大を抑えることができる。したがって、冷却用ダクトを流動する冷却風の風量を増加させることができ、空間光変調装置の効果的な冷却を図ることができる。また、第１の送風機に要求される能力も抑えることができ、第１の送風機の小型化や騒音の抑制を図ることができる。
【０００８】
また、本発明の好ましい態様としては、プロジェクターは、３個の空間光変調装置を有し、冷却用ダクトは、第１の送風機が送り込む冷却風の上流側から２番目の空間光変調装置と３番目の空間光変調装置との間で分岐されていることが望ましい。
【０００９】
冷却用ダクトが分岐されることで、第１の送風機から送り込まれた冷却風の一部は分岐された流路に流れ込む。一方、上流側から２番目の空間光変調装置と３番目の空間光変調装置との間で冷却用ダクトを分岐するので、第１の送風機から送り込まれた冷却風のほとんどを２番目の空間光変調装置の近傍に通過させることができる。したがって、一部の冷却風が分岐された流路へ流れてしまうことによる２番目の空間光変調装置の冷却効率の低下を抑えることができる。
【００１０】
また、本発明の好ましい態様としては、第１の送風機が送り込む冷却風の上流側から１番目の空間光変調装置は、投写レンズの光軸側に射出面を向け、射出面が投写レンズの光軸と略平行となるように配置され、第１の送風機は、冷却風の吹出し方向を投写レンズの光軸側に傾けて配置されていることが望ましい。
【００１１】
一般的に、空間光変調装置の射出面側には、射出側偏光板が配置される。射出側偏光板は、空間光変調装置からの光を適宜遮蔽するため、空間光変調装置に比べて発熱量が大きくなる。第１の送風機は、冷却風の吹出し方向が、１番目の空間光変調装置の入射面と平行な方向よりも投写レンズの光軸側に傾けられているので、射出側偏光板側に多くの冷却風が流れやすくなる。したがって、より発熱量の大きい射出側偏光板を効果的に冷却させることができる。
【００１２】
また、第１の送風機の冷却風の吹出し方向を傾けるために、第１の送風機自体が投写レンズの光軸から離れるように配置されるので、第１の送風機が投写レンズに干渉しにくくなり、設計の自由度を向上させることができる。
【００１３】
また、本発明の好ましい態様としては、冷却用ダクトの分岐部分よりも下流側の領域に対し第１の送風機からの冷却風と逆の方向に冷却風を送り込んで、３番目の空間光変調装置を冷却する第２の送風機をさらに有することが望ましい。
【００１４】
冷却用ダクトの分岐部分よりも下流側の領域に対して、第２の送風機からの冷却風が送り込まれる。第１の送風機と第２の送風機とから送り込まれた冷却風は冷却用ダクトの分岐された流路に流れ込む。したがって、上流側から１番目の空間光変調装置と２番目の空間光変調装置を第１の送風機からの冷却風で冷却し、上流側から３番目の空間光変調装置を第２の送風機からの冷却風で冷却することができる。３番目の空間光変調装置を冷却するための第２の送風機が設けられるので、第１の送風機から送り込まれた冷却風の一部で３番目の空間光変調装置を冷却する場合に比べて、３番目の空間光変調装置をより効果的に冷却することができる。
【００１５】
また、冷却用ダクトの分岐部分よりも下流部分の流路断面積を広げれば、冷却用ダクト全体の圧力損失の増大を抑えることができる。したがって、冷却用ダクトの分岐部分よりも上流側を流動する冷却風も、下流側を流動する冷却風も増加させることができる。また、第１の送風機および第２の送風機に要求される能力も抑えることができ、送風機の小型化や騒音の抑制を図ることができる。
【００１６】
また、本発明の好ましい態様としては、３番目の空間光変調装置は、投写レンズの光軸側に射出面を向け、射出面が投写レンズの光軸と略平行となるように配置され、第２の送風機は、冷却風の吹出し方向を投写レンズの光軸側に傾けて配置されていることが望ましい。第１の送風機の冷却風の吹出し方向を傾けた場合と同様に、より発熱量の大きい射出側偏光板を効果的に冷却させることができるし、設計の自由度を向上させることもできる。
【００１７】
また、本発明の好ましい態様としては、２番目の空間光変調装置が緑色光を変調することが望ましい。緑色光は他の色光に比べて視感度が高いことから、高出力であることが求められることとなる。緑色光が入射する空間光変調装置は、他の色光用空間光変調装置に比べて高温になりやすい。冷却用ダクトの分岐部分よりも上流にある２番目の空間光変調装置が緑色光を変調するので、第１の送風機から送り込まれた冷却風のほとんどを用いて緑色光を変調する空間光変調装置を冷却することができる。したがって、分岐された流路に冷却風の一部が流れ込んでしまう影響を抑えて、高温になりやすい空間光変調装置を効果的に冷却することができる。
【００１８】
また、本発明の好ましい態様としては、３番目の空間光変調装置が緑色光を変調することが望ましい。緑色光を変調することで高温になりやすい空間光変調装置を、第２の送風機によって効果的に冷却することができる。
【図面の簡単な説明】
【００１９】
【図１】図１は、実施例１に係るプロジェクターの概略構成を示す図。
【図２】図２は、冷却用ダクトの断面構成を示す図。
【図３】図３は、実施例２に係るプロジェクターが有する冷却用ダクトの断面構成を示す図。
【発明を実施するための形態】
【００２０】
以下に図面を参照して、本発明の実施例を詳細に説明する。
【実施例１】
【００２１】
図１は、本発明の実施例１に係るプロジェクター１の概略構成を示す。なお、図１では、後に詳説する冷却用ダクトを省略している。プロジェクター１は、被照射面であるスクリーン３２へ投写光を投写し、スクリーン３２で反射する光を観察することで画像を鑑賞するフロント投写型のプロジェクターである。光源１０は、赤色（Ｒ）光、緑色（Ｇ）光、青色（Ｂ）光を含む光を射出するランプ、例えば超高圧水銀ランプである。第１インテグレーターレンズ１１及び第２インテグレーターレンズ１２は、アレイ状に配列された複数のレンズ素子を有する。第１インテグレーターレンズ１１は、光源１０からの光束を複数に分割する。第１インテグレーターレンズ１１の各レンズ素子は、光源１０からの光束を第２インテグレーターレンズ１２のレンズ素子近傍にて集光させる。第２インテグレーターレンズ１２のレンズ素子は、第１インテグレーターレンズ１１のレンズ素子の像を空間光変調装置上に形成する。
【００２２】
２つのインテグレーターレンズ１１、１２を経た光は、偏光変換素子１３にて特定の直線偏光、例えばｓ偏光に変換される。重畳レンズ１４は、第１インテグレーターレンズ１１の各レンズ素子の像を空間光変調装置上で重畳させる。第１インテグレーターレンズ１１、第２インテグレーターレンズ１２及び重畳レンズ１４は、光源１０からの光の強度分布を空間光変調装置上にて均一化させる。反射ミラー１５は、重畳レンズ１４からの光を反射させることで、光路を略９０度折り曲げる。第１ダイクロイックミラー１６は、反射ミラー１５から入射する光のうち第１色光であるＢ光を反射し、第２色光であるＧ光、及び第３色光であるＲ光を透過させる。第１ダイクロイックミラー１６は、反射によりＢ光の光路を略９０度折り曲げる。
【００２３】
反射ミラー１７は、第１ダイクロイックミラー１６からのＢ光を反射させ、光路を略９０度折り曲げる。Ｂ光用フィールドレンズ１８Ｂは、反射ミラー１７からのＢ光を平行化させる。λ／２位相差板１９Ｂは、Ｂ光用フィールドレンズ１８Ｂからのｓ偏光をｐ偏光に変換する。Ｂ光用入射側偏光板２０Ｂは、Ｂ光用空間光変調装置２１Ｂの入射面近傍に設けられている。Ｂ光用入射側偏光板２０Ｂは、ｐ偏光を透過させる。
【００２４】
Ｂ光用空間光変調装置２１Ｂは、Ｂ光を画像信号に応じて変調する第１色光用空間光変調装置であって、透過型の液晶表示装置である。Ｂ光用空間光変調装置２１Ｂは、光が入射する入射面と、光が射出する射出面とを備える。Ｂ光用空間光変調装置２１Ｂは、後述する投写レンズ３１の光軸ＡＸ側に射出面を向け、その射出面が光軸ＡＸと略平行となるように配置されている。Ｂ光用射出側偏光板２２Ｂは、Ｂ光用空間光変調装置２１Ｂの射出面とクロスダイクロイックプリズム２３との間に設けられている。Ｂ光用射出側偏光板２２Ｂは、ｓ偏光を透過させる。Ｂ光用空間光変調装置２１Ｂでの変調によりｐ偏光から変換されたｓ偏光は、Ｂ光用射出側偏光板２２Ｂを透過し、クロスダイクロイックプリズム２３へ入射する。
【００２５】
第２ダイクロイックミラー２４は、第１ダイクロイックミラー１６からのＧ光を反射させ、Ｒ光を透過させる。第２ダイクロイックミラー２４は、反射によりＧ光の光路を略９０度折り曲げる。Ｇ光用フィールドレンズ１８Ｇは、第２ダイクロイックミラー２４からのＧ光を平行化させる。Ｇ光用入射側偏光板２０Ｇは、Ｇ光用空間光変調装置２１Ｇの入射面近傍に設けられている。Ｇ光用入射側偏光板２０Ｇは、ｓ偏光を透過させる。
【００２６】
Ｇ光用空間光変調装置２１Ｇは、Ｇ光を画像信号に応じて変調する第２色光用空間光変調装置であって、透過型の液晶表示装置である。Ｇ光用空間光変調装置２１Ｇは、光が入射する入射面と、光が射出する射出面とを備える。Ｇ光用空間光変調装置２１Ｇは、その射出面が、後述する投写レンズ３１の光軸ＡＸと略垂直となるように配置されている。Ｇ光用射出側偏光板２２Ｇは、Ｇ光用空間光変調装置２１Ｇの射出面とクロスダイクロイックプリズム２３との間に設けられている。Ｇ光用射出側偏光板２２Ｇは、ｐ偏光を透過させる。Ｇ光用空間光変調装置２１Ｇでの変調によりｓ偏光から変換されたｐ偏光は、Ｇ光用射出側偏光板２２Ｇを透過し、クロスダイクロイックプリズム２３へ入射する。
【００２７】
第２ダイクロイックミラー２４を透過したＲ光は、リレーレンズ２５を透過した後、反射ミラー２６での反射により光路が折り曲げられる。反射ミラー２６からのＲ光は、さらにリレーレンズ２７を透過した後、反射ミラー２８での反射により光路が折り曲げられる。Ｂ光の光路及びＧ光の光路よりもＲ光の光路が長いことから、空間光変調装置における照明倍率を他の色光と等しくするために、Ｒ光の光路には、リレーレンズ２５、２７を用いるリレー光学系が採用されている。Ｒ光用フィールドレンズ１８Ｒは、反射ミラー２８からのＲ光を平行化させる。λ／２位相差板１９Ｒは、Ｒ光用フィールドレンズ１８Ｒからのｓ偏光をｐ偏光に変換する。Ｒ光用入射側偏光板２０Ｒは、Ｒ光用空間光変調装置２１Ｒの入射側近傍に設けられている。Ｒ光用入射側偏光板２０Ｒは、ｐ偏光を透過させる。
【００２８】
Ｒ光用空間光変調装置２１Ｒは、Ｒ光を画像信号に応じて変調する第３色光用空間光変調装置であって、透過型の液晶表示装置である。Ｒ光用空間光変調装置２１Ｒは、光が入射する入射面と、光が射出する射出面とを備える。Ｒ光用空間光変調装置２１Ｒは、後述する投写レンズ３１の光軸ＡＸ側に射出面を向け、その射出面が光軸ＡＸと略平行となるように配置されている。Ｒ光用射出側偏光板２２Ｒは、Ｒ光用空間光変調装置２１Ｒの射出面とクロスダイクロイックプリズム２３との間に設けられている。Ｒ光用射出側偏光板２２Ｒは、ｓ偏光を透過させる。Ｒ光用空間光変調装置２１Ｒでの変調によりｐ偏光から変換されたｓ偏光は、Ｒ光用射出側偏光板２２Ｒを透過し、クロスダイクロイックプリズム２３へ入射する。
【００２９】
クロスダイクロイックプリズム２３は、Ｂ光用空間光変調装置２１Ｂで変調されたＢ光と、Ｇ光用空間光変調装置２１Ｇで変調されたＧ光と、Ｒ光用空間光変調装置２１Ｒで変調されたＲ光とを合成する色合成光学系として機能する。クロスダイクロイックプリズム２３は、互いに略直交するように配置された２つのダイクロイック膜２９、３０を有する。第１ダイクロイック膜２９は、Ｂ光を反射し、Ｇ光及びＲ光を透過させる。第２ダイクロイック膜３０は、Ｒ光を反射し、Ｂ光及びＧ光を透過させる。投写レンズ３１は、クロスダイクロイックプリズム２３で合成された光をスクリーン３２の方向へ投写する。
【００３０】
図２は、冷却用流体の流路の断面構成を示す。送風ファン４０は、冷却用流体を供給する第１の送風機であって、例えばシロッコファンである。送風ファン４０は、プロジェクター１の筐体外部から冷却用流体である空気を取り込み、取り込んだ空気を冷却風として吹出口４０ａから吹き出す。送風ファン４０の吹出口４０ａは、冷却用ダクト５０に接続されており、吹出口４０ａから吹き出された冷却風は、冷却用ダクト５０の内部に送り込まれる。送風ファン４０は、冷却風の吹出し方向が、Ｂ光用空間光変調装置２１Ｂの入射面と平行な方向よりも投写レンズ３１の光軸側に傾けられて配置されている。
【００３１】
冷却用ダクト５０は、クロスダイクロイックプリズム２３の周囲に配置された各色光用空間光変調装置２１Ｂ、２１Ｇ、２１Ｒ、各色光用入射側偏光板２０Ｂ、２０Ｇ、２０Ｒ、各色光用射出側偏光板２２Ｂ、２２Ｇ、２２Ｒを１本のダクトの内部に収容するように構成されている。そのために、冷却用ダクト５０は、Ｂ光用空間光変調装置２１ＢとＧ光用空間光変調装置２１Ｇとの間、およびＧ光用空間光変調装置２１ＧとＲ光用空間光変調装置２１Ｒとの間で略９０度折り曲げられ、クロスダイクロイックプリズム２３の周囲を囲むように延びる形状となっている。
【００３２】
冷却用ダクト５０は、金属板等の板部材で構成されている。冷却用ダクト５０のうち、各色光が通過する部分は、開口５０ａが形成されている。その開口５０ａには、透光性の板部材、例えばガラス板５０ｂが取り付けられている。
【００３３】
なお、冷却用ダクト５０の内部に配置された各色光用空間光変調装置について、送風ファン４０から送り込まれる冷却風の上流側からの順番を用いて説明する場合がある。すなわち、最も上流に配置されたＢ光用空間光変調装置２１Ｂを１番目の空間光変調装置といい、Ｇ光用空間光変調装置２１Ｇを２番目の空間光変調装置といい、Ｒ光用空間光変調装置２１Ｒを３番目の空間光変調装置という場合がある。
【００３４】
冷却用ダクト５０は、２番目の空間光変調装置と３番目の空間光変調装置との間で分岐されている。すなわち、冷却用ダクト５０は、Ｇ光用空間光変調装置２１ＧとＲ光用空間光変調装置２１Ｒとの間で分岐されている。Ｇ光用空間光変調装置２１ＧとＲ光用空間光変調装置２１Ｒとの間で冷却用ダクト５０が分岐されているので、Ｇ光用空間光変調装置２１Ｇの近傍を流動した冷却風の一部は、Ｒ光用空間光変調装置２１Ｒに向かわずに、分岐された流路に流れる。
【００３５】
以上説明したように、冷却用ダクト５０がクロスダイクロイックプリズム２３の周囲を囲むように延びるので、冷却用ダクト５０を含めた冷却構造を、クロスダイクロイックプリズム２３の厚さと同様の厚さとすることができ、プロジェクター１の薄型化に寄与することができる。また、冷却用ダクト５０に冷却風を送り込めば、各色光用空間光変調装置２１Ｂ、２１Ｇ、２１Ｒ、各色光用入射側偏光板２０Ｂ、２０Ｇ、２０Ｒ、各色光用射出側偏光板２２Ｂ、２２Ｇ、２２Ｒのすべてを冷却風で順次冷却することができるので、冷却構造の簡素化を図ることができる。
【００３６】
また、冷却用ダクト５０が途中で分岐されているので、分岐部分よりも下流部分の流路断面積が実質的に拡大されることとなる。これにより、冷却用ダクト５０全体の圧力損失の増大を抑えることができる。したがって、冷却用ダクト５０を流動する冷却風の風量を増加させることができ、空間光変調装置の効果的な冷却を図ることができる。また、送風ファン４０に要求される能力も抑えることができ、送風ファン４０の小型化や騒音の抑制を図ることができる。
【００３７】
また、Ｇ光は他の色光に比べて視感度が高いことから、高出力であることが求められることとなる。Ｇ光が入射することとなる２番目の空間光変調装置であるＧ光用空間光変調装置２１Ｇは、他の色光用空間光変調装置に比べて高温になりやすい。同様に、Ｇ光用の入射側偏光板２０Ｇ、射出側偏光板２２Ｇも高温になりやすい。冷却用ダクト５０は、２番目の空間光変調装置と３番目の空間光変調装置との間、すなわち、Ｇ光用空間光変調装置２１Ｇの下流側で分岐されている。したがって、分岐部分を設けたことにより増加した冷却風のほとんどが分岐部分の手前にあるＧ光用空間光変調装置２１Ｇの近傍を通過するので、Ｇ光用空間光変調装置２１Ｇを効果的に冷却することができる。したがって、Ｇ光用空間光変調装置２１Ｇの下流での冷却用ダクト５０の分岐により圧力損失の増大を抑えるとともに、分岐部分をＧ光用空間光変調装置２１Ｇの下流とすることで、一部の冷却風が分岐された流路へ流れてしまうことによるＧ光用空間光変調装置２１Ｇ、Ｇ光用の各偏光板２０Ｇ、２２Ｇの冷却効率の低下を抑えることができる。
【００３８】
また、射出側偏光板２２Ｒ、２２Ｇ、２２Ｂは、空間光変調装置２１Ｒ、２１Ｇ、２１Ｂからの光を適宜遮蔽するため、空間光変調装置２１Ｒ、２１Ｇ、２１Ｂや、入射側偏光板２０Ｒ、２０Ｇ、２０Ｂに比べて発熱量が大きくなる。射出側偏光板２２Ｒ、２２Ｇ、２２Ｂは、空間光変調装置２１Ｒ、２１Ｇ、２１Ｂの入射面側に配置されている。１番目の空間光変調装置であるＢ光用空間光変調装置２１Ｂに対応するＢ光用射出側偏光板２２Ｂは、Ｂ光用空間光変調装置２１Ｂよりも投写レンズ３１の光軸ＡＸ側に配置される。ここで、送風ファン４０は、冷却風の吹出し方向が、Ｂ光用空間光変調装置２１Ｂの入射面と平行な方向よりも投写レンズ３１の光軸側に傾けられて配置されているので、射出側偏光板２２Ｂ側に多くの冷却風が流れやすくなる。したがって、より発熱量の大きい射出側偏光板２２Ｂを効果的に冷却させることができる。
【００３９】
また、クロスダイクロイックプリズム２３に比べて投写レンズ３１のサイズが大きいため、冷却風の吹出し方向が光軸ＡＸと平行となるように送風ファン４０を配置すると、送風ファンと投写レンズ３１とが干渉しやすくなる。そのため、プロジェクター１の筐体内に送風ファン４０と投写レンズ３１を並べて配置することが困難であるという問題が生じる。本実施例１では、送風ファン４０の冷却風の吹出し方向を投写レンズ３１の光軸ＡＸに対して傾けている。したがって、送風ファン４０自体が投写レンズ３１から離れるように配置されるので、送風ファン４０が投写レンズ３１に干渉しにくくなり、筐体内に両要素を並べて配置しやすくなり、設計の自由度を向上させることができる。
【００４０】
なお、冷却用ダクト５０の分岐された流路に流れた冷却風を用いて、プロジェクター１が備える他の部材を冷却してもよい。例えば、光源１０や偏光変換素子１３に冷却風を吹き付けるように構成してもよい。もちろん、分岐された流路に流れた冷却風をそのままプロジェクター１の筐体外に放出してもよい。
【００４１】
また、冷却用ダクト５０の分岐位置も２番目の空間光変調装置と３番目の空間光変調装置の間に限られず、送風ファンから送り込まれる冷却風の最も上流側に配置された空間光変調装置と、最も下流側に配置された空間光変調装置との間で分岐されていればよい。また、プロジェクター１が有する空間光変調装置の個数も３個に限られない。
【００４２】
また、冷却用ダクト５０の開口５０ａに取り付けられているガラス板５０ｂの代わりに、入射側偏光板２０Ｒ、２０Ｇ、２０Ｂ、射出側偏光板２２Ｒ、２２Ｇ、２２Ｂを開口５０ａに取り付けて、冷却用ダクト５０の壁面の一部としてもよい。これにより、ガラス板５０ｂが不要となり、部品点数の削減を図ることができる。
【実施例２】
【００４３】
図３は、本発明の実施例２に係るプロジェクターが有する冷却用ダクトの断面構成を示す図である。本実施例２では、プロジェクターが、第１の送風機としての送風ファン４０に加えて、第２の送風機としての送風ファン６０を備える。上記の実施例１と同一の部分には同一の符号を付し、重複する説明を省略する。なお、本実施例２で用いる上流、下流の語は、送風ファン４０から送り込まれる冷却風に対する上流、下流を意味する。
【００４４】
送風ファン６０は、冷却用ダクト５０の最も下流側に配置され、冷却用ダクト５０に対して送風ファン４０からの冷却風とは逆の方向に冷却風を送り込む。この構成により、冷却用ダクト５０の分岐部分よりも下流側の領域に対して、送風ファン４０からの冷却風が送り込まれることとなる。送風ファン４０と送風ファン６０とから送り込まれた冷却風は冷却用ダクト５０の分岐された流路に流れ込む。したがって、上流側から１番目の空間光変調装置と２番目の空間光変調装置を送風ファン４０からの冷却風で冷却し、上流側から３番目の空間光変調装置を送風ファン６０からの冷却風で冷却することができる。送風ファン４０とは別個に、３番目の空間光変調装置を冷却するための送風ファン６０が設けられるので、送風ファン４０から送り込まれた冷却風の一部で３番目の空間光変調装置を冷却する場合に比べて、３番目の空間光変調装置を効果的に冷却することができる。
【００４５】
また、冷却用ダクト５０の分岐された流路の流路断面積を広げれば、冷却用ダクト５０全体の圧力損失の増大を抑えることができる。したがって、冷却用ダクト５０の分岐部分よりも上流側を流動する冷却風だけでなく、下流側を流動する冷却風も増加させることができる。また、送風ファン４０、送風ファン６０に要求される能力も抑えることができ、送風ファン４０、６０の小型化や騒音の抑制を図ることができる。
【００４６】
また、送風ファン６０は、冷却風の吹出し方向が、Ｒ光用空間光変調装置２１Ｒの入射面と平行な方向よりも投写レンズ３１の光軸ＡＸ側に傾けられて配置されている。送風ファン６０の冷却風の吹出し方向を投写レンズ３１の光軸ＡＸに対して傾けるので、送風ファン６０自体が投写レンズ３１から離れるように配置される。したがって、送風ファン４０と同様に、送風ファン６０も投写レンズ３１に干渉しにくくなる。送風ファン６０と投写レンズ３１が干渉しにくくなるので、筐体内に両要素を並べて配置しやすくなり、設計の自由度を向上させることができる。
【００４７】
なお、各色光用空間光変調装置２１Ｒ、２１Ｇ、２１Ｂの配置の順番は、本実施例２で示す順番に限られない。例えば、上流側から３番目の空間光変調装置をＧ光用空間光変調装置２１Ｇとしてもよい。この場合、３番目の空間光変調装置の冷却を主な目的とする送風ファン６０により、Ｇ光用空間光変調装置２１Ｇを冷却することができる。したがって、他の空間光変調装置に比べて発熱量の大きくなるＧ光用空間光変調装置２１Ｇを送風ファン６０によって、より効果的に冷却することができる。
【００４８】
上記各実施例のプロジェクターは、光源１０として超高圧水銀ランプを用いる構成に限られない。光源１０は、超高圧水銀ランプ以外のランプや、発光ダイオード素子（ＬＥＤ）、レーザ光源等を用いる構成としてもよい。プロジェクターは、色光ごとに空間光変調装置を備える構成に限られず、一つの空間光変調装置により二つ又は三つ以上の色光を変調する構成としてもよい。プロジェクターは、スクリーンの一方の面に光を供給し、スクリーンの他方の面から射出する光を観察することで画像を鑑賞する、いわゆるリアプロジェクターであってもよい。
【符号の説明】
【００４９】
１  プロジェクター、１０  光源、１１  第１インテグレーターレンズ、１２  第２インテグレーターレンズ、１３  偏光変換素子、１４  重畳レンズ、１５、１７  反射ミラー、１６  第１ダイクロイックミラー、１８Ｂ  Ｂ光用フィールドレンズ、１８Ｇ  Ｇ光用フィールドレンズ、１８Ｒ  Ｒ光用フィールドレンズ、１９Ｂ、１９Ｒ  λ／２位相差板、２０Ｂ  Ｂ光用入射側偏光板、２０Ｇ  Ｇ光用入射側偏光板、２０Ｒ  Ｒ光用入射側偏光板、２１Ｂ  Ｂ光用空間光変調装置、２１Ｇ  Ｇ光用空間光変調装置、２１Ｒ  Ｒ光用空間光変調装置、２２Ｂ  Ｂ光用射出側偏光板、２２Ｇ  Ｇ光用射出側偏光板、２２Ｒ  Ｒ光用射出側偏光板、２３  クロスダイクロイックプリズム、２４  第２ダイクロイックミラー、２５、２７  リレーレンズ、２６、２８  反射ミラー、２９  第１ダイクロイック膜、３０  第２ダイクロイック膜、３１  投写レンズ、３２  スクリーン、４０  送風ファン（第１の送風機）、４０ａ  吹出口、５０  冷却用ダクト、５０ａ  開口、５０ｂ  ガラス板、６０  送風ファン（第２の送風機）
【図１】
2011039140.tif 000003
【図２】
2011039140.tif 000004
【図３】
2011039140.tif 000005